(57)【要約】【課題】  切替え後の出力映像をショックレスにすることが可能な映像信号切替装置を提供する。【解決手段】  映像信号切替装置（１）は、異なる伝送路から入力される第１及び第２の映像信号各々に予め信号に重畳されている第１及び第２のタイムスタンプを抽出する第１及び第２の抽出手段（１１，１２）と、第１及び第２の抽出手段各々で抽出された第１及び第２のタイムスタンプを基に第１及び第２の映像信号各々に共通なクロックを発生するクロック発生手段（１３）と、第１及び第２の映像信号各々をクロック発生手段にて発生したクロックに載せ換える第１及び第２の載せ換え手段（バッファ部１４，１５及びバッファ制御部１７）と、第１及び第２の載せ換え手段からの出力を外部指示に応じて切り替えて出力する切り替え手段（１６）とを有する。【選択図】      図１
2010219971.tif 000002
【特許請求の範囲】
【請求項１】
異なる伝送路から入力される第１及び第２の映像信号各々に予め信号に重畳されている第１及び第２のタイムスタンプを抽出する第１及び第２の抽出手段と、
前記第１及び第２の抽出手段各々で抽出された第１及び第２のタイムスタンプを基に前記第１及び第２の映像信号各々に共通なクロックを発生するクロック発生手段と、
前記第１及び第２の映像信号各々を前記クロック発生手段にて発生したクロックに載せ換える第１及び第２の載せ換え手段と、
前記第１及び第２の載せ換え手段からの出力を外部指示に応じて切り替えて出力する切り替え手段とを有することを特徴とする映像信号切替装置。
【請求項２】
前記クロック発生手段は、前記第１及び第２のタイムスタンプ各々から発生すべき第１及び第２の周波数情報を抽出する第１及び第２の周波数抽出手段と、前記第１及び第２の周波数抽出手段にて抽出された第１及び第２の周波数情報から周波数の平均値を計算してその計算結果を共通の周波数として決定する周波数設定手段とを含むことを特徴とする請求項１記載の映像信号切替装置。
【請求項３】
前記第１及び第２の載せ換え手段は、前記第１及び第２の映像信号各々を保持する第１及び第２のバッファと、前記クロック発生手段にて発生したクロックを基に前記第１及び第２の映像信号各々の前記第１及び第２のバッファへの書込みと前記第１及び第２の映像信号各々の前記第１及び第２のバッファからの読出しとを制御するバッファ制御手段とを含むことを特徴とする請求項１または請求項２記載の映像信号切替装置。
【請求項４】
前記第１及び第２のバッファ各々の蓄積データ量を前記クロック発生手段にフィードバックし、
前記クロック発生手段は、前記第１及び第２の抽出手段各々で抽出された第１及び第２のタイムスタンプと前記第１及び第２のバッファ各々の蓄積データ量とを基に前記第１及び第２の映像信号各々に共通なクロックを発生することを特徴とする請求項３記載の映像信号切替装置。
【請求項５】
映像信号切替装置が、
異なる伝送路から入力される第１及び第２の映像信号各々に予め信号に重畳されている第１及び第２のタイムスタンプを抽出する第１及び第２の抽出処理と、
前記第１及び第２の抽出処理各々で抽出された第１及び第２のタイムスタンプを基に前記第１及び第２の映像信号各々に共通なクロックを発生するクロック発生処理と、
前記第１及び第２の映像信号各々を前記クロック発生処理にて発生したクロックに載せ換える第１及び第２の載せ換え処理と、
前記第１及び第２の載せ換え処理からの出力を外部指示に応じて切り替えて出力する切り替え処理とを実行することを特徴とする映像信号切替方法。
【請求項６】
前記クロック発生処理において、前記第１及び第２のタイムスタンプ各々から発生すべき第１及び第２の周波数情報を抽出し、それら抽出された第１及び第２の周波数情報から周波数の平均値を計算してその計算結果を共通の周波数として決定することを特徴とする請求項５記載の映像信号切替方法。
【請求項７】
前記映像信号切替装置に、前記第１及び第２の映像信号各々を保持する第１及び第２のバッファを設け、
前記第１及び第２の載せ換え処理において、前記クロック発生処理にて発生したクロックを基に前記第１及び第２の映像信号各々の前記第１及び第２のバッファへの書込みと前記第１及び第２の映像信号各々の前記第１及び第２のバッファからの読出しとを制御することを特徴とする請求項５または請求項６記載の映像信号切替方法。
【請求項８】
前記第１及び第２のバッファ各々の蓄積データ量を前記クロック発生処理にフィードバックし、
前記クロック発生処理において、前記第１及び第２の抽出処理各々で抽出された第１及び第２のタイムスタンプと前記第１及び第２のバッファ各々の蓄積データ量とを基に前記第１及び第２の映像信号各々に共通なクロックを発生することを特徴とする請求項７記載の映像信号切替方法。
【発明の詳細な説明】
【技術分野】
【０００１】
本発明は映像信号切替装置及びそれに用いる映像信号切替方法に関し、特に伝送路から入力される２系統の映像信号の切替方法に関する。
【背景技術】
【０００２】
本発明に関連する映像信号切替装置の構成例を図９に示す。図９において、映像信号切替装置３は、タイムスタンプ抽出部３１，３６と、クロック発生部３２，３７と、バッファ制御部３３，３８と、バッファ部３４，３９と、切替部３５とから構成されている。
【０００３】
映像信号切替装置３に対しては、図示せぬ伝送路から２系統の映像信号（映像＃１、映像＃２）が入力される。映像＃１、映像＃２は、送り元では同一の信号であるが、現用伝送路と予備伝送路との異なる伝送路を経由して入力されることを想定しており、伝送路の遅延特性やジッタ特性の違いにより、異なるタイミングで入力される（例えば、特許文献１参照）。
【０００４】
また、伝送路は、例えばＩＰ（Ｉｎｔｅｒｎｅｔ  Ｐｒｏｔｏｃｏｌ）ネットワーク等であり、送り元にてＲＴＰ（Ｒｅａｌ  Ｔｉｍｅ  ｔｒａｎｓｐｏｒｔ  Ｐｒｏｔｏｃｏｌ）タイムスタンプのように、パケット単位でタイミング基準となるタイミング信号が重畳されていることを想定している。
【０００５】
入力された映像＃１は、タイムスタンプ抽出部３１にて信号に重畳されているタイムスタンプを抽出し、抽出したタイムスタンプは、クロック発生部３２及びバッファ制御部３３に入力され、元の映像信号はバッファ部３４に入力される。
【０００６】
クロック発生部３２では、映像＃１から抽出されたタイムスタンプを使って、クロック信号を発生させ、そのクロック信号はバッファ部３４に入力されて、映像信号の読出し側クロックとして使用されるとともに、バッファ制御部３３にも入力されてバッファ読出し制御信号の生成に使用される。
【０００７】
また、バッファ制御部３３では、映像＃１から抽出されたタイムスタンプと、映像＃２に対するバッファ制御部３８からの位相情報を使って、映像＃１、映像＃２の位相差を検出し、バッファ部３４の読出し制御信号を発生させる。そのバッファ読出し制御信号は、バッファ部３４に入力されて、映像信号の読出しタイミングの制御に使用される。バッファ制御部３３では、映像＃１の位相情報を、映像＃２に対するバッファ制御部３８に出力する処理をも行う。バッファ部３４から読出された信号は、切替部３５に入力される。
【０００８】
一方、入力された映像＃２についても、上記の映像＃１と同様にして、タイムスタンプ抽出部３６でのタイムスタンプ抽出処理、クロック発生部３７でのクロック発生処理、バッファ制御部３８でのバッファ読出し制御信号生成処理、バッファ部３９でのバッファリング処理が行われ、バッファ部３９から読出された信号は、切替部３５に入力される。
【０００９】
切替部３５では、外部から入力される選択制御信号にしたがって、映像＃１側か、映像＃２側かを選択し、出力映像として出力する。
【先行技術文献】
【特許文献】
【００１０】
【特許文献１】特開２００８−１９３１４５号公報
【発明の概要】
【発明が解決しようとする課題】
【００１１】
上述した本発明に関連する映像信号切替装置では、各入力に対して個別にクロック発生をさせているため、それぞれの信号の伝送路上でのジッタ特性や遅延特性の違いにより、厳密には同じクロックが発生されず、その異なるクロックでバッファから読出された信号を切替えている。
【００１２】
そのため、本発明に関連する映像信号切替装置では、切替え後の出力映像が完全にはショックレスにならないという問題がある。その結果、切替え後の出力信号特性が劣化し、信号規格を満足しない場合や、後段の装置に影響を及ぼす可能性がある。また、本発明に関連する映像信号切替装置では、入力映像毎にクロック発生回路が必要になるため、コストがかかるという問題がある。
【００１３】
そこで、本発明の目的は上記の問題点を解消し、切替え後の出力映像をショックレスにすることができる映像信号切替装置及びそれに用いる映像信号切替方法を提供することにある。
【課題を解決するための手段】
【００１４】
本発明による映像信号切替装置は、異なる伝送路から入力される第１及び第２の映像信号各々に予め信号に重畳されている第１及び第２のタイムスタンプを抽出する第１及び第２の抽出手段と、
前記第１及び第２の抽出手段各々で抽出された第１及び第２のタイムスタンプを基に前記第１及び第２の映像信号各々に共通なクロックを発生するクロック発生手段と、
前記第１及び第２の映像信号各々を前記クロック発生手段にて発生したクロックに載せ換える第１及び第２の載せ換え手段と、
前記第１及び第２の載せ換え手段からの出力を外部指示に応じて切り替えて出力する切り替え手段とを備えている。
【００１５】
本発明による映像信号切替方法は、映像信号切替装置が、
異なる伝送路から入力される第１及び第２の映像信号各々に予め信号に重畳されている第１及び第２のタイムスタンプを抽出する第１及び第２の抽出処理と、
前記第１及び第２の抽出処理各々で抽出された第１及び第２のタイムスタンプを基に前記第１及び第２の映像信号各々に共通なクロックを発生するクロック発生処理と、
前記第１及び第２の映像信号各々を前記クロック発生処理にて発生したクロックに載せ換える第１及び第２の載せ換え処理と、
前記第１及び第２の載せ換え処理からの出力を外部指示に応じて切り替えて出力する切り替え処理とを実行することを特徴とする。
【発明の効果】
【００１６】
本発明は、上記のような構成及び動作とすることで、切替え後の出力映像をショックレスにすることができるという効果が得られる。
【図面の簡単な説明】
【００１７】
【図１】本発明の第１の実施の形態による映像信号切替装置の構成例を示すブロック図である。
【図２】図１に示すクロック発生部の構成例を示すブロック図である。
【図３】本発明の第１の実施の形態に用いられる送信元での映像信号を示す図である。
【図４】本発明の第１の実施の形態に用いられる受信側での映像信号＃１，＃２を示す図である。
【図５】図５は図１に示すバッファ制御部の構成例を示すブロック図である。
【図６】本発明の第１の実施の形態におけるタイムスタンプ＃１とタイムスタンプ＃２との基準位相に対する位相の履歴をプロットして位相変動として示す図である。
【図７】本発明の第２の実施の形態による映像信号切替装置の構成例を示すブロック図である。
【図８】図７に示すクロック発生部の構成例を示すブロック図である。
【図９】本発明に関連する映像信号切替装置の構成例を示すブロック図である。
【発明を実施するための形態】
【００１８】
次に、本発明の実施の形態について図面を参照して説明する。まず、本発明による映像信号切替装置の概要について説明する。
【００１９】
本発明による映像信号切替装置は、例えば現用系及び予備系のような２つの異なる伝送路から入力される映像信号を切替える際に、映像信号の位相合わせだけでなく、クロックの同期を行うことで、ショックレスな切替えを可能にするものである。
【００２０】
つまり、本発明による映像信号切替装置は、現用系伝送路と予備系伝送路とから入力される２つの映像信号（映像＃１、映像＃２）に対して、クロック発生部にて、予め信号に重畳させているタイムスタンプを用いて現用系と予備系とに共通なクロックを発生し、２つの映像信号各々をそのクロックに載せ換えてから切替え処理を行う。これにより、本発明による映像信号切替装置は、切替えによるクロックの不連続がなくなり、ショックレスな切替え処理が可能となる。
【００２１】
図１は本発明の第１の実施の形態による映像信号切替装置の構成例を示すブロック図である。図１において、映像信号切替装置１は、タイムスタンプ抽出部１１，１２と、クロック発生部１３と、バッファ部１４，１５と、切替部１６と、バッファ制御部１７とから構成されている。
【００２２】
映像信号切替装置１に対しては、図示せぬ現用系伝送路と予備系伝送路とから２系統の映像信号（映像＃１、映像＃２）が入力される。映像＃１、映像＃２は、送り元では同一の信号であるが、現用系伝送路と予備系伝送路との異なる伝送路を経由して入力されることを想定しており、伝送路の遅延特性やジッタ特性の違いにより、異なるタイミングで入力される。
【００２３】
また、現用系伝送路及び予備系伝送路は、例えばＩＰ（Ｉｎｔｅｒｎｅｔ  Ｐｒｏｔｏｃｏｌ）ネットワーク等であり、送り元にてＲＴＰ（Ｒｅａｌ  Ｔｉｍｅ  ｔｒａｎｓｐｏｒｔ  Ｐｒｏｔｏｃｏｌ）タイムスタンプのように、パケット単位でタイミング基準となるタイミング信号が重畳されていることを想定している。
【００２４】
映像信号切替装置１は、タイムスタンプ抽出部１１、２にて入力された映像＃１、映像＃２それぞれの信号に重畳されているタイムスタンプを抽出し、抽出したタイムスタンプをクロック発生部１３及びバッファ制御部１７に入力し、元の映像信号をバッファ部１４，１５にそれぞれ入力する。
【００２５】
クロック発生部１３は、映像＃１、映像＃２からそれぞれ抽出されたタイムスタンプを使って、映像＃１、映像＃２に共通なクロック信号を発生させ、そのクロック信号をバッファ部１４，１５に入力し、映像信号の読出し側クロックとして使用するとともに、バッファ制御部１７にも入力してバッファ読出し制御信号の生成に使用する。
【００２６】
また、バッファ制御部１７は、映像＃１、映像＃２から抽出されたタイムスタンプを使って、映像＃１、映像＃２の位相差を検出し、バッファ部１４，１５の読出し制御信号をそれぞれ発生させ、それらのバッファ読出し制御信号をバッファ部１４，１５に入力して、映像信号の読出しタイミングの制御に使用する。
【００２７】
このように、バッファ部１４，１５からは、出力位相とクロックとが一致した映像信号が読出され、それぞれ切替部１６に入力される。切替部１６は、外部から入力される選択制御信号にしたがって、映像＃１側か、映像＃２側かを選択する。その際、切替部１６では、２つの入力信号の位相とクロックとが一致しているため、ショックレスな切替えを行うことができる。
【００２８】
図２は図１に示すクロック発生部１３の構成例を示すブロック図である。図２において、クロック発生部１３は、周波数抽出部１３１，１３２と、周波数設定部１３３と、クロック発信部１３４とから構成されている。
【００２９】
クロック発生部１３に入力されるタイムスタンプ＃１，＃２は、それぞれ周波数抽出部１３１，１３２に入力される。周波数抽出部１３１，１３２では、タイムスタンプ＃１，＃２から発生するべき周波数情報を抽出する。周波数抽出部１３１，１３２は、抽出したそれぞれの周波数情報を周波数設定部１３３に入力する。
【００３０】
周波数設定部１３３では、周波数抽出部１３１，１３２から入力される２つの周波数情報を使い、共通クロックとして適した周波数を設定する。周波数設定部１３３は、設定した周波数情報をクロック発振部１３４に出力する。クロック発振部１３４は、周波数設定部１３３で設定された周波数のクロックを発振し、出力クロックとして出力する。
【００３１】
図３は本発明の第１の実施の形態に用いられる送信元での映像信号を示す図であり、図４は本発明の第１の実施の形態に用いられる受信側での映像信号＃１，＃２を示す図である。これら図３及び図４を参照して周波数抽出部１３１，１３２及び周波数設定部１３３での動作例について説明する。
【００３２】
それぞれの映像信号＃１，＃２は、上述したように、パケット化され、パケット単位でタイムスタンプが重畳されている。図３に示すように、送信元では安定した周波数のクロックで処理されるため、「Ａ」，「Ｂ」，「Ｃ」，「Ｄ」のそれぞれのパケットが等間隔であり、それぞれのパケットに重畳されているタイムスタンプの差分値も一定となる。
【００３３】
しかしながら、異なる伝送路を経由して入力された映像信号＃１，＃２のパケットは、図４の「Ａ１」と「Ａ２」、「Ｂ１」と「Ｂ２」、「Ｃ１」と「Ｃ２」、「Ｄ１」と「Ｄ２」のように、それぞれの位相、間隔がずれる場合がある。
【００３４】
これは、映像信号＃１と映像信号＃２とが、それぞれ経由した伝送路の遅延特性やジッタ特性が異なることに起因している。したがって、本来は同位相であるはずの「Ａ１」と「Ａ２」との位相は異なり、かつＡ１パケットとＡ２パケットとのタイムスタンプは同じ値が重畳されていることになる。同様に、「Ｂ１」と「Ｂ２」、「Ｃ１」と「Ｃ２」、「Ｄ１」と「Ｄ２」も位相はずれているが、それぞれ同じ値のタイムスタンプが重畳されている。
【００３５】
図２における周波数抽出部１３１，１３２では、各パケットの間隔と、タイムスタンプの差分とから周波数抽出を行うが、この周波数は、
周波数＝タイムスタンプ差分値／パケット間隔時間
という式で求めることができる。
【００３６】
例えば、図４におけるＡ１パケットに重畳されているタイムスタンプＴＡ１と、Ｂ１パケットに重畳されているタイムスタンプＴＢ１との差分値（ＴＢ１−ＴＡ１）が１００００、Ａ１パケットとＢ１パケットとの間隔が３７０．３７マイクロ秒とすると、
周波数＝１００００／０．０００３７０３７秒
≒２７．０ＭＨｚ
となる。
【００３７】
ところが実際には、図４に示すように、パケットの間隔が広くなったり、狭くなったりするため、周波数は小さくなったり、大きくなったり、変動することになり、タイムスタンプ＃１とタイムスタンプ＃２とからそれぞれの抽出される周波数は、異なる周波数が抽出されることになる。そこで、図２における周波数設定部１３１では、例えば両者の周波数の平均値を計算し、その計算結果を共通の周波数として決定する。
【００３８】
図５は図１に示すバッファ制御部１７の構成例を示すブロック図である。図５において、バッファ制御部１７は、位相抽出部１７１，１７２と、変動幅解析部１７３，１７４と、位相差算出部１７５と、読出し制御部１７６，１７７と、基準位相発生部１７８とから構成されている。
【００３９】
バッファ制御部１７においては、入力されるタイムスタンプ＃１，＃２がそれぞれ位相抽出部１７１，１７２に入力される。また、基準位相発生部１７８は、安定したクロックによってカウントアップする基準位相信号を生成し、基準位相信号を位相抽出部１７１，１７２に出力する。
【００４０】
位相抽出部１７１，１７２は、それぞれ基準位相信号とタイムスタンプ＃１，＃２のパケット間隔とを用いて基準位相に対する位相を測定する。位相抽出部１７１，１７２は、測定した基準位相に対する位相を変動幅解析部１７３，１７４に出力する。
【００４１】
変動幅解析部１７３，１７４は、位相抽出部１７１，１７２にて測定された基準位相に対する位相の履歴をとり、その位相履歴を位相差算出部１７５に出力する。位相差算出部１７５は、変動幅解析部１７３，１７４からの履歴を使って、映像＃１，＃２の位相を決定し、両者の位相差を算出する。位相差算出部１７５は、算出した映像＃１，＃２の位相差をそれぞれ読出し制御部１７６，１７７に出力する。
【００４２】
読出し制御部１７６，１７７は、入力される映像＃１，＃２の位相差情報を用いて、図１におけるバッファ部１４，１５の読出しタイミングを制御するための読出し制御信号＃１，＃２をそれぞれ生成して出力する。
【００４３】
図６は本発明の第１の実施の形態におけるタイムスタンプ＃１とタイムスタンプ＃２との基準位相に対する位相の履歴をプロットして位相変動として示す図である。この図６を参照して変動幅解析部１７３，１７４及び位相差算出部１７５の動作例について説明する。
【００４４】
図６においては、タイムスタンプ＃１及びタイムスタンプ＃２の基準位相に対する位相の履歴をプロットし、それを位相変動として示している。映像＃１，＃２は、それぞれ異なるジッタ特性を持つ伝送路を経由して入力されているため、基準位相に対する位相が固定ではなく、図６に示すように幅を持つことになる。
【００４５】
一般に、ジッタは、本来の位相に対する進み、または遅れが時間とともに変化するものであり、その進み量と遅れ量とは等しいと考えられるので、プロットした位相変動の中心が本来の位相であると言える。したがって、タイムスタンプ＃１，＃２の位相変動の中心値同士の差分値が、映像＃１，＃２の位相差となる。
【００４６】
本実施の形態では、上記のようにして算出した位相差を用いて、読出し制御信号を生成するが、例えば映像＃１が映像＃２より時間Ｐだけ進んでいる場合、映像＃１の信号は映像＃２より時間Ｐだけ遅れて読出すことで、図１におけるバッファ部１４，１５の出力位相を揃えることが可能となる。
【００４７】
このように、本実施の形態では、例えば伝送路のメンテナンス等で、現用系伝送路から予備系伝送路への切替えが必要になった場合、切替えがショックレスであるため、サービスに影響を与えることなく、切替えやメンテナンスを実施することができる。したがって、本実施の形態では、伝送システムにおける運用の可用性を高めることができる。
【００４８】
また、本実施の形態では、上記のように、映像＃１，＃２に対して共通のクロック発生部１３及びバッファ制御部１７を用いているので、クロック発生手段やバッファ制御手段を１つで済ませることができ、回路規模を小さくすることができるので、装置のコストを軽減することができる。
【００４９】
図７は本発明の第２の実施の形態による映像信号切替装置の構成例を示すブロック図である。図７において、映像信号切替装置２は、タイムスタンプ抽出部１１，１２と、クロック発生部２３と、バッファ部２１，２２と、切替部１６と、バッファ制御部１７とから構成されている。
【００５０】
図１に示す本発明の第１の実施の形態では、入力されるタイムスタンプ値のみからクロック生成を行っているが、受信映像信号の状態、すなわち伝送路上のジッタやエラーによっては、生成されるクロックにおいて送信側との間でのずれが生じる可能性がある。そこで、本発明の第２の実施の形態では、そのようなずれが生じた場合でも、バッファを破綻させることなく、映像信号の連続性を保ち、安定な切替え処理を行うことを可能としている。
【００５１】
尚、図７において、タイムスタンプ抽出部１１，１２、切替部１６、バッファ制御部１７については、その動作が図１に示す各部と同じであるので、その説明を省略する。
【００５２】
バッファ部２１，２２は、入力される映像信号が書込まれ、クロック発生部２３から出力されるクロックで、バッファ制御部１７からの制御にしたがってデータが読出される。その際同時に、バッファ部２１，２２は、それぞれのバッファ蓄積データ量をクロック発生部２３に出力する。
【００５３】
クロック発生部２３では、入力されるタイムスタンプにしたがったクロック発生を行う。その際、クロック発生部２３は、バッファ部２１，２２からのバッファ蓄積データ量から、それぞれのバッファをオーバフロー、またはアンダフローさせないように周波数補正されたクロックを発生する。
【００５４】
このように、本実施の形態では、クロック発生部２３が上記のようなクロックを発生させることで、入力されるタイムスタンプ値が、伝送路上のジッタやエラーの影響を受けていたとしても、バッファを破綻させることなく、安定な切替えを行うことが可能となる。
【００５５】
図８は図７に示すクロック発生部２３の構成例を示すブロック図である。図８において、クロック発生部２３は、周波数抽出部１３１，１３２と、周波数設定部２３１と、クロック発信部１３４と、補正周波数計算部２３２とから構成されている。尚、図８において、周波数抽出部１３１，１３２及びクロック発振部１３４は、その動作が図２に示す本発明の第１の実施の形態の各部と同じであるので、その説明を省略する。
【００５６】
クロック発生部２３においては、バッファ部２１，２２から出力されるバッファ蓄積データ量がともに補正周波数計算部２３２に入力される。補正周波数計算部２３２は、バッファ部２１，２２からの２つのバッファの蓄積データ量をチェックして、周波数補正制御信号を生成して周波数設定部２３１に出力する。
【００５７】
すなわち、補正周波数計算部２３２においては、入力されるバッファ量が多くなる方に推移している場合、周波数を高い方に補正する制御信号を周波数設定部２３１に出力し、タイムスタンプから設定された周波数より高いクロック周波数を設定する。その結果、本実施の形態では、バッファ部２１，２２からの読出しクロックが高くなり、読出し速度が速められてバッファ蓄積データ量を少なくすることができる。
【００５８】
また逆に、補正周波数計算部２３２においては、入力されるバッファ量が少なくなる方に推移している場合、周波数を低い方に補正する制御信号を周波数設定部２３１に出力し、タイムスタンプから設定された周波数より低いクロック周波数を設定する。その結果、本実施の形態では、バッファ部２１，２２からの読出しクロックが低くなり、読出し速度が遅くなってバッファ蓄積データ量を多くすることができる。
【００５９】
このように、本実施の形態では、伝送路上でジッタやエラーの影響を受けて、タイムスタンプのみからのクロック発生にずれが生じた場合でも、２系統のクロックを常に同一に保つことができ、その結果、ショックのない切替えを実現することができる。
【００６０】
尚、図１及び図７において、伝送路から入力される信号を映像信号として説明しているが、この信号は非圧縮映像信号に限定する必要はなく、圧縮された映像信号の場合でも、上記と同様に適用可能である。
【符号の説明】
【００６１】
１，２  映像信号切替装置
１１，１２  タイムスタンプ抽出部
１３，２３  クロック発生部
１４，１５，２１，２２  バッファ部
１６  切替部
１７  バッファ制御部
１３１，１３２  周波数抽出部
１３３，２３１  周波数設定部
１３４  クロック発信部
１７１，１７２  位相抽出部
１７３，１７４  変動幅解析部
１７５  位相差算出部
１７６，１７７  読出し制御部
１７８  基準位相発生部
【図１】
2010219971.tif 000003
【図２】
2010219971.tif 000004
【図３】
2010219971.tif 000005
【図４】
2010219971.tif 000006
【図５】
2010219971.tif 000007
【図６】
2010219971.tif 000008
【図７】
2010219971.tif 000009
【図８】
2010219971.tif 000010
【図９】
2010219971.tif 000011